(57)【要約】【課題】  レジチェッカーが値引き操作を忘れることを確実に防ぐとともに、レジチェッカーがスムーズに商品のレジ精算操作を行うことができる値引きシールを提供することを目的としている。【解決手段】  本考案にかかる値引きシール１は、値引き対象であることを表示するとともに商品又は商品の包装６に付されたバーコード７の全部又は一部を覆い隠すために前記商品又は前記商品の包装６に貼り付けられる横長の値引きシールであって、前記値引きシールの裏面の両端に接着剤塗布部３ａ，３ｂが設けられており、一方端の縁部には指がひっかかる程度の非接着剤塗布部４が設けられている。【選択図】  図１
0003181212.tif 000002
【実用新案登録請求の範囲】
【請求項１】
値引き対象であることを表示するとともに商品又は商品の包装に付されたバーコードの全部又は一部を覆い隠すために前記商品又は前記商品の包装に貼り付けられる横長の値引きシールであって、前記値引きシールの裏面の両端に接着剤塗布部が設けられており、一方端の縁部には指がひっかかる程度の非接着剤塗布部が設けられている値引きシール。
【請求項２】
前記非接着剤塗布部が設けられた端側の前記接着剤塗布部は略円形である、請求項１に記載の値引きシール。
【請求項３】
裏面全体に接着剤を塗布した値引きシールに対して、裏面の一部に接着効果をなくす溶剤を塗布することによって両端の前記接着剤塗布部と一方端の前記非接着剤塗布部を形成する、請求項１または請求項２に記載の値引きシール。
【考案の詳細な説明】
【技術分野】
【０００１】
本考案は、値引き対象であることを表示するとともに商品又は商品の包装に付されたバーコードの全部又は一部を覆い隠すために商品又は商品の包装に貼り付けられる値引きシールに関するものである。
【背景技術】
【０００２】
スーパー等では賞味期限や消費期限が近づいた商品に対して値引きを行って賞味期限や消費期限が近づいた商品の購入を促す方法が採られており、その際に商品や商品の包装に付して値引き対象商品であることを表示する値引きシールが使用されるところ、値引きシールが見えにくい場所に貼られているためにレジチェッカーが値引き対象商品であることに気づかなかったり、バーコードの位置を覚えている熟練したレジチェッカーが商品をよく見ないで精算してしまったりすることにより、レジチェッカーが値引き操作を忘れてしまうという問題があった。
【０００３】
このような問題に対して、出願人は、特公平７−６２７８６号公報において、横長のシール用紙の裏面の両端部分に接着剤塗布部を設け、商品のバーコードをまたぐ状態で添着してバーコードを読み取ることができないようにして、レジチェッカーが値引き操作を忘れることを防止する値引きシールを提案している（特許文献１）。
【先行技術文献】
【特許文献】
【０００４】
【特許文献１】特公平７−６２７８６号公報
【考案の概要】
【考案が解決しようとする課題】
【０００５】
しかしながら、特許文献１に記載された発明において、商品のレジ精算の際に値引きシールを破ってバーコードを使用可能にしなければならず、レジ精算操作において値引きシールを破る手間と時間がかかるという問題がある。
【０００６】
また、この問題を解消するために、シール用紙の裏面の片端部分のみに接着剤塗布部を設け、接着剤塗布部が設けられていない一方端側でバーコードを覆い隠す値引きシールが一部のスーパーで使用されているが、接着剤塗布部が設けられていない一方端側が冷蔵庫の冷気によってめくれあがり、バーコードが覆い隠されず使用可能な状態となってしまい、レジチェッカーが値引き操作を忘れてしまうという問題がある。
【０００７】
そこで、本考案は、このような問題点を解決するためになされたものであって、レジチェッカーが値引き操作を忘れることを確実に防ぐとともに、レジチェッカーがスムーズに商品のレジ精算操作を行うことができる値引きシールを提供することを目的としている。
【課題を解決するための手段】
【０００８】
本考案にかかる値引きシールは、値引き対象であることを表示するとともに商品又は商品の包装に付されたバーコードの全部又は一部を覆い隠すために前記商品又は前記商品の包装に貼り付けられる横長の値引きシールであって、前記値引きシールの裏面の両端に接着剤塗布部が設けられており、一方端の縁部には指がひっかかる程度の非接着剤塗布部が設けられている。
【０００９】
そして、本考案の一態様として、前記非接着剤塗布部が設けられた端側の前記接着剤塗布部は略円形でもよい。
【００１０】
さらに、本考案の一態様として、裏面全体に接着剤を塗布した値引きシールに対して、裏面の一部に接着効果をなくす溶剤を塗布することによって両端の前記接着剤塗布部と一方端の前記非接着剤塗布部を形成してもよい。
【考案の効果】
【００１１】
本考案の値引きシールによれば、レジチェッカーが値引き操作を忘れることを確実に防ぐとともに、レジチェッカーがスムーズに商品のレジ精算操作を行うことができる。 
【図面の簡単な説明】
【００１２】
【図１】本実施形態の値引きシールの一実施形態を示す平面図である。
【図２】図１の底面図である。
【考案を実施するための形態】
【００１３】
以下、本考案に係る値引きシールの一実施形態について図面を用いて説明する。
【００１４】
なお、本考案において、シールとは、裏面の全部又は一部に粘着材を塗布したシート状のものであって、樹脂製や紙製等のあらゆる素材により構成されているものを含む概念である。また、商品又は商品の包装とは、商品自体、包装紙、包装箱、商品に付されるタグ等を含む概念である。さらに、バーコードとは、バーコードリーダーで読み取り、商品の情報を収集するための太さの異なる多数の黒い線（バー）の組み合わせによって数字などのコードを表示したものであり、商品又は商品の包装やタグ等に印刷又は貼付されているものを含む概念である。
【００１５】
本実施形態における値引きシール１は、図１及び図２に示すように、商品又は商品の包装６に付されたバーコード７の全部又は一部を覆い隠すように貼付されるものであって、値引きシール１を構成するシール用紙２の表面には値引き表示５が設けられており、シール用紙２の裏面には、接着剤塗布部３ａ，３ｂと、非接着剤塗布部４が設けられている。以下、各構成について説明する。
【００１６】
シール用紙２は、接着剤塗布部３ａ，３ｂ、非接着剤塗布部４及び値引き表示５の土台となるものである。シール用紙２の形状及び大きさは、横長で商品又は商品の包装６に貼付するとともにバーコード７の全部又は一部を覆い隠す程度の長さ及び幅があればよい。本実施形態では矩形に形成されているが、例えば、値引き率や値引き額を強調した特殊な形状など適宜変更してもよい。さらに、シール用紙２の材質は、少量の水が付着しても破れることなく、後述の接着剤塗布部３ａ，３ｂ及び非接着剤塗布部４を形成して商品又は商品の包装６に貼付できるものであればよく、本実施形態ではコート紙で構成されている。
【００１７】
接着剤塗布部３ａ，３ｂは、本実施形態の値引きシール１を商品又は商品の包装６に添着するためのものであり、シール用紙２の裏面の両端に設けられている。接着剤塗布部３ａ，３ｂは、主に粘着材で構成されており、当該粘着材は値引きシール１が商品又は商品の包装から剥離・脱落しない粘着力を有するものであればよい。例えば、シリコン系粘着材が挙げられるが、シール用紙２や商品又は商品の包装６の材質によって適宜変更可能である。
【００１８】
接着剤塗布部３ａは、本実施形態の値引きシール１を商品又は商品の包装６に常時添着させるためのものであり、シール用紙２の裏面の一方端に設けられる。接着剤塗布部３ａは、商品の陳列時、運搬時のほか、商品のレジ清算操作時においても、値引きシール１が商品又は商品の包装６から剥がれない程度のエリアを有している。接着剤塗布部３ａの形状は、本実施形態においては矩形であるが、シール用紙２や商品又は商品の包装６の形状に応じて適宜変更可能である。また、接着剤塗布部３ａの大きさは、シール用紙２や商品又は商品の包装６等の大きさに応じて適宜変更可能である。
【００１９】
接着剤塗布部３ｂは、商品の陳列時及び運搬時において値引きシール１を商品又は商品の包装６に添着させるとともに、商品のレジ精算操作時において一時的に値引きシール１の一部を剥がしてバーコードを使用可能とするためのものであり、シール用紙２の裏面の接着剤塗布部３ａの反対側の一方端に設けられる。接着剤塗布部３ｂの形状は、レジチェッカーが商品のレジ清算操作時に、後述の非接着剤塗布部４に指をひっかけて値引きシール１の接着剤塗布部３ｂ側の縁部から値引きシール１の一部を容易に剥がすことができるものであればよい。本実施形態では略円形に形成されているが、例えば、正方形、ひし形、複数のドットなど適宜変更可能である。また、接着剤塗布部３ｂの大きさは、後述の非接着剤塗布部４とともに接着剤塗布部３ｂ側の縁部から値引きシール１を容易に剥がすことができ、かつ、商品の陳列時に冷蔵庫の冷気で値引きシール１がめくりあがったり、商品の運搬時に他の商品との接触により剥がれたりしない程度のエリアを有していればよく、シール用紙２や商品又は商品の包装６等の大きさ等に応じて適宜変更可能である。
【００２０】
非接着剤塗布部４は、レジチェッカーが商品のレジ清算操作をする際に値引きシール１の一部を剥がしてバーコードを使用可能とするためのものであり、シール用紙２の裏面の接着剤塗布部３ｂ側の縁部に設けられる。非接着剤塗布部４の形状は、値引きシール１の縁部に指をひっかけて剥がしやすいものであればよく、シール用紙２と接着剤塗布部３ｂの形状に応じて形成される。また、非接着剤塗布部４の大きさは、指をひっかかる程度であればよく、シール用紙２や接着剤塗布部３ｂ等の大きさに応じて適宜変更可能である。
【００２１】
本実施形態において、接着剤塗布部３ａ，３ｂと非接着剤塗布部４は、シール用紙２の裏面全体に接着剤を塗布し、その裏面の一部に接着効果をなくす溶剤を塗布することによって形成されている。
【００２２】
値引き表示５は、「２０％引き」のような値引き率や「５０円引き」のような値引き価格を表示するためのものであり、シール用紙２の表面に設けられる。値引き表示５はシール用紙２の表面の全面又は一部でもよく、値引き表示の内容も適宜変更可能である。
【００２３】
つぎに、本実施形態に係る値引きシール１による作用について、図１及び図２を参照しつつ説明する。
【００２４】
本実施形態の値引きシール１を使用する場合、値引きシール１の接着剤塗布部３ｂ側の端でバーコード７の全部又は一部を覆い隠すように、接着剤塗布部３ａと接着剤塗布部３ｂを商品又は商品の包装６に添着させる。これにより値引きシール１が剥がれたり、冷蔵庫の冷気によりめくれあがることなく、商品のレジ清算時においてもバーコード７が使用不可能となるため、レジチェッカーが値引きシール１の存在に気づき、値引き操作を忘れることを防ぐことができる。また、商品のレジ清算時には、レジチェッカーが非接着剤塗布部４に指をひっかけて簡単に値引きシール１の一部を剥がしてバーコードを使用可能にすることができ、商品のレジ清算操作をスムーズに行うことができる。
【００２５】
また、本実施形態では、接着剤塗布部３ｂが略円形に形成されているため、シール用紙２の形状と相まって、指をひっかけやすい大きさ及び形状の非接着剤塗布部４が形成され、レジチェッカーが非接着剤塗布部４に指をひっかけて簡単に値引きシール１の一部を剥がしてバーコードを使用可能にすることができ、商品のレジ清算操作をスムーズに行うことができる。
【００２６】
さらに、本実施形態では、接着剤塗布部３ａ，３ｂと非接着剤塗布部４は、シール用紙２の裏面全体に接着剤を塗布し、その裏面の一部に接着効果をなくす溶剤を塗布することによって形成されているため、接着剤塗布部３ｂに加えて、シール用紙２の裏面に塗布された接着剤と溶剤の重みによって、冷蔵庫の冷気による値引きシール１のめくれあがりをより確実に防ぐことができる。
【００２７】
以上のように、本考案によれば、レジチェッカーが値引き操作を忘れることを確実に防ぐとともに、レジチェッカーがスムーズに商品のレジ精算操作を行うことができる。
【００２８】
なお、本考案に係る値引きシール１は、前述した実施形態に限定されるものではなく、適宜変更することができる。例えば、本実施態様においては、シール用紙２の裏面全体に接着剤を塗布し、その裏面の一部に接着効果をなくす溶剤を塗布することにより接着剤塗布部３ａ，３ｂと非接着剤塗布部４を形成したが、シール用紙２の裏面全体に接着剤を塗布せず、シール用紙２の裏面の一部に接着剤を塗布することにより接着剤塗布部３ａ，３ｂと非接着剤塗布部４を形成してもよい。
【符号の説明】
【００２９】
１  値引きシール
２  シール用紙
３ａ  接着剤塗布部
３ｂ  接着剤塗布部
４  非接着剤塗布部
５  値引き表示
６  商品又は商品の包装
７  バーコード
【図１】
0003181212.tif 000003
【図２】
0003181212.tif 000004